(57)【要約】  【課題】グラスバルブの破裂原因を確実に判断できるようにする。  【解決手段】液体が封入されているグラスバルブ１５と、該グラスバルブ１５を支持するアーム７と、を備えたスプリンクラヘッドにおいて；前記液体は、設計変色温度到達時に変色する不可逆性の感温変色液体ＴＲであり、前記アーム７は、前記液体の飛散付着部７ａを備えている。  【選択図】  図２
2006015067.tif 000002
【特許請求の範囲】
【請求項１】
液体が封入されているグラスバルブと、該グラスバルブを支持する固定部材と、を備えたスプリンクラヘッドにおいて；
前記液体は、設計変色温度到達時に変色する不可逆性の感温変色液体であり、
前記固定部材は、前記液体の飛散付着部を備えていることを特徴とするスプリンクラヘッド。
【請求項２】
液体が封入されているグラスバルブと、該グラスバルブを支持する固定部材と、を備えたスプリンクラヘッドにおいて；
前記液体は、設計変質温度到達時に特性が変化する不可逆性の感温変質液体であり、
前記固定部材は、前記液体の飛散付着部を備えていることを特徴とするスプリンクラヘッド。
【請求項３】
液体が封入されているグラスバルブと、該グラスバルブを支持する固定部材と、を備えたスプリンクラヘッドにおいて；
前記液体は、前記グラスバルブが設計外力を受けたときに変色する不可逆性の感力変色液体であり、
前記固定部材は、前記液体の飛散付着部を備えていることを特徴とするスプリンクラヘッド。
【請求項４】
液体が封入されているグラスバルブと、該グラスバルブを支持する固定部材と、を備えたスプリンクラヘッドにおいて；
前記グラスバルブ、又は、前記固定部材には、設計発匂温度到達時に匂いを発する香料インクが塗布されていることを特徴とするスプリンクラヘッド。
【請求項５】
液体が封入されているグラスバルブと、該グラスバルブを支持する固定部材と、を備えたスプリンクラヘッドにおいて；
前記グラスバルブ、又は、前記固定部材には、設計変色温度到達時に変色する不可逆性の熱変色性インキが塗布されていることを特徴とするスプリンクラヘッド。
【発明の詳細な説明】
【技術分野】
【０００１】
この発明は、倉庫、駐車場などに配設されるスプリンクラに関するものであり、特に、液体を封入したグラスバルブを有する、馬蹄形のスプリンクラヘッドに関するものである。
【背景技術】
【０００２】
従来のスプリンクラヘッドの感知部には、液体を封入したグラスバルブが設けられている。このグラスバルブは、支承部に着座し、放水口を閉鎖する放水弁を押圧している。
このヘッドでは、火災の発生によりグラスバルブが高温に晒されると、前記液体が熱膨張し、前記グラスバルブが破裂し、放水弁が落下する。そのため、前記放水口が開放され、放水が開始される。
【０００３】
このグラスバルブは、前述のように、火災の熱によって破裂するのが通常であるが、棒などの衝撃による外力を受けて、又は、凍結されて破裂することもある。この場合、火災の発生に基づく破裂ではなく、誤作動した場合に該当する。従って、グラスバルブの破裂原因は、数種類あることになるので、グラスバルブの性能品質研究等をする際には、そのいずれが原因となっているかを特定する必要がある。
【０００４】
そこで、従来、次のようにしてその前記破裂原因を特定している。即ち、スプリンクラヘッドのフレームの表面に、温度に応じて変色する不可逆性の感温変色体を設ける。破裂原因を調査する場合には、該感温変色体の色をチェックし、変色していれば火災、変色していなければ外力、とその原因を判断する（例えば、特許文献１、参照）。
【０００５】
【特許文献１】特許第３４５８３１５号公報
【発明の開示】
【発明が解決しようとする課題】
【０００６】
従来例の感温変色体は、アーム等の表面に張り付けられている。そのため、次のような問題がある。
（１）感温変色体が剥がれ落ちることがあり、それが剥がれ落ちると、アーム近傍の受熱を正確に検出することが困難となる。
【０００７】
（２）感温変色体の表面にゴミ等の障害物が付着し、受熱を妨げたり、変色の具合の検出が困難となることがある。
（３）感温変色体及びそれの添付作業等が必要となるので、コストアップとなる。
【０００８】
この発明は、上記事情に鑑み、グラスバルブの破裂原因を正確に判断できるようにすることを目的とする。
【課題を解決するための手段】
【０００９】
この発明は、液体が封入されているグラスバルブと、該グラスバルブを支持する固定部材と、を備えたスプリンクラヘッドにおいて；前記液体は、設計変色温度到達時に変色する不可逆性の感温変色液体、設計変質温度到達時に特性が変化する不可逆性の感温変質液体、又は、グラスバルブが設計外力を受けたときに変色する不可逆性の感力変色液体、であり、前記固定部材は、前記液体の飛散付着部を備えていることを特徴とする。
【００１０】
この発明は、液体が封入されているグラスバルブを備えたスプリンクラヘッドにおいて；前記グラスバルブ、又は、前記固定部材には、設計発匂温度到達時に匂いを発する香料インク、又は、設計変色温度到達時に変色する不可逆性の熱変色性インクが付着していることを特徴とする。
【発明の効果】
【００１１】
この発明のグラスバルブに封入された液体は、設計変色温度到達時に変色する不可逆性の感温変色液体、設計変質温度到達時に特性が変化する不可逆性の感温変質液体、又は、グラスバルブが設計外力を受けたときに変色する不可逆性の感力変色液体、であり、前記固定部材は、前記液体の飛散付着部を備えているので、グラスバルブの破裂時には前記液体が飛散して液体の飛散付着部に付着する。そのため、付着した液体の色、又は、粘性等からグラスバルブの破裂原因を特定することができる。
【００１２】
この発明のグラスバルブ、又は、前記固定部材には、設計発匂温度到達時に匂いを発する香料インク、又は、設計変色温度到達時に変色する不可逆性の熱変色性インク、が付着しているので、グラスバルブの破裂時に発生する匂い、グラスバルブの破片、又は、固定部材の熱変色性インクの色、により破裂原因を特定することができる。
【発明を実施するための最良の形態】
【００１３】
この発明の第１実施例を図１、図２により説明する。
馬蹄型スプリンクラヘッドの本体１は、鋳造により形成され、ねじ部３と固定部材Ｆとを備えている。ねじ部３は、図示しないスプリンクラ配管に連結され、その下端部には六角形のねじ頭部５を備えている。
【００１４】
固定部材Ｆは、アーム７と支承部９とを備えている。アーム７は、前記ねじ頭５に連続して一対設けられ、その外表面は、液体の飛散付着部７ａとなっている。支承部９は、該アーム７の下端部に設けられ、押しねじ１１により上下方向に摺動可能である。
【００１５】
放水弁３は、放水口３ａを閉鎖している。この放水弁１３と前記支承部９との間には、グラスバルブ１５が設けられている。このグラスバルブ１５は、硬質のガラス管であり、その中には、熱に晒されると体積が膨張する不可逆性の感温変色液体ＴＲが封入されている。この感温変色液体ＴＲは、設計変色温度に到達すると変色するものであり、例えば、赤色が緑色に変わる。
【００１６】
この液体ＴＲとして、発色剤を封入したマイクロカプセル（マイクロカプセル製剤）を含有する油性アルコール系液体が用いられる。このマイクロカプセルは、熱によって溶融し、発色剤がアルコールに接触することにより該液体ＴＲを変色させる。
【００１７】
マイクロカプセル製剤は、有効成分を高分子樹脂の薄い膜で包み込んだ製剤であり、有効成分が高分子のカプセル内に封入されているため、分解や蒸発が押さえられる。マイクロカプセル錠剤は、安定性と安全性において優れている。
【００１８】
上記設計変色温度とは、火災の熱により感温変色液体ＴＲが変色したことがわかるようにするために設定される温度で、その温度は、必要に応じて適宜選択される。例えば、設計変色温度として、６０℃が採用されるが、５２℃〜スプリンクラ作動開始温度未満、の範囲が好適である。なお、スプリンクラ作動開始温度として、例えば、６８℃、９３℃、等が用いられている。
【００１９】
グラスバルブ１５は、押しねじ１１を所定方向に回転させることにより押し上げられ、放水弁１３を強く押圧するので、放水口３ａは、密閉状態となる。なお、図において、１９は、デフレクタであり、放水口３ａから放出される消火水を分散させる機能を有する。
【００２０】
次に本実施例の作動について説明する。
火災が発生し、グラスバルブ１５内の液体ＴＲが受熱して設計変色温度になると、該液体ＴＲは膨張するとともに、マイクロカプセルが溶融し、発色剤がアルコールに接触するので、該液体ＴＲの色が赤色から緑色に変化する。
【００２１】
更に液温が上昇すると、前記液体ＴＲは更に膨張するので、グラスバルブ１５が破裂し、その中に封入されている液体が飛散するが、飛散した該液体ＴＲの一部はアーム７の飛散付着部７ａに付着する。なお、該付着部２０の表面は、鋳物製のためざらざらしているので、付着した液体（油性）ＴＲに消火水がかかっても落ちにくい。
【００２２】
消火後、グラスバルブ１５の破裂原因調査時に、アーム７に付着している前記液体ＴＲの色をチェックする。前述のように、前記液体ＴＲの色は緑色に変わっているので、グラスバルブ１５の破裂原因が火災であることがわかる。
これに対して、前記液体ＴＲが赤色、即ち、変色していない場合には、グラスバルブ１５が受熱せずに、その他の要因で破裂したものと判断される。例えば、棒などの外力（衝撃力）により破裂した場合であり、原因調査時に火災でなく破裂していることがわかる。
【００２３】
この発明の第２実施例を説明する。この実施例と第１実施例との相違点は、グラスバルブ１５に封入され液体が、不可逆性の感温変質液体であることである。
この感温変質液体は、設計変質温度に到達すると特性が変化するもので、例えば、該液体の粘性が変化する。又、この変質は、物理的な変化のみでなく、化学的構造的な変化であっても良く、分析装置等で確認することができればよい。
【００２４】
上記設計変質温度とは、火災の熱により感温変質液体が変質したことがわかるようにするために設定される温度で、その温度は、必要に応じて適宜選択される。例えば、設計変質温度として、６０℃が採用されるが、５２℃〜スプリンクラ作動開始温度未満、の範囲が好適である。なお、スプリンクラ作動開始温度として、例えば、６８℃、９３℃、等が用いられている。
【００２５】
この発明の第３実施例を説明する。この実施例と第１実施例との相違点は、グラスバルブ１５に封入され液体が、不可逆性の感力変色液体であることである。
この感力変色液体は、グラスバルブ１５が設計外力（衝撃力）を受けたときに変色する液体である。この感力変色液体は、アルコール系の液体と、それを取り囲む拡散剤とからなり、該グラスバルブ１５が、棒などにより設計外力を受けると、拡散剤の作用により前記液体の色が変化し、例えば、赤色から緑色に変わる。
【００２６】
上記設計外力とは、グラスバルブ１５が棒などによる外力を受けて感力変色液体の色が変化したことがわかるようにするために設定される衝撃力で、その値は、必要に応じて適宜選択される。
【００２７】
この発明の第４実施例を説明する。この実施例と第１実施例との相違点は、グラスバルブ１５に封入され液体を、特殊なものにする代わりに、グラスバルブ１５の表面に香料インクを塗布することである。その塗布範囲は、必要に応じて適宜選択され、例えば、グラスバルブ１５の全外周面に塗布される。
【００２８】
この香料インクは、設計発匂温度に到達すると匂いを発するインクである。この香料インクとして、マイクロカプセル香料が使用され、カプセルが破壊されると香りを放つ。この香料をグラスバルブ１５の表面に塗布することにより、火災時には、香りを放つことになるので、視覚障害者などにも火災を伝えることができる。
【００２９】
上記設計発匂温度は、火災の熱により香料インクが発匂したことがわかるようにするために設定される温度で、その温度は、必要に応じて適宜選択される。例えば、設計変色温度として、６０℃が採用されるが、５２℃〜スプリンクラ作動開始温度未満、の範囲が好適である。このスプリンクラ作動開始温度として、例えば、６８℃、９３℃が採用されている。又、ここでグラスバルブの表面に香料インクを塗布することを説明したが、それに限らず、例えば、固定部材であるアーム７に塗布しても良い。
【００３０】
この発明の第５実施例を説明する。この実施例と第４実施例との相違点は、（１）グラスバルブ１５に香料インクを塗布する代わりに、不可逆性の熱変色性インクを塗布すること、（２）破裂したグラスバルブ１５の破片の色から破裂原因を判断すること、である。この熱変色性インクは、設計変色温度に到達すると変色する不可逆性のインクである。
【００３１】
この熱変色性インクは、三つの成分、即ち、Ａ・無色の色素、Ｂ・これを発色させる呈色剤、Ｃ・発色している色素を消色させる消色剤、からなるが、前記色素Ａは、電子を奪ったり与えたりすると、発色したり消色したりする。電子の授受をある一定の温度のもとで行うように前記Ａ、Ｂ、Ｃの条件を設定すると、その温度を境にして色が付いたり（発色）、消えたり（消色）する。
【００３２】
上記設計変色温度とは、火災の熱を受けて感熱変色性インクが変色、又は、発色したことがわかるようにするために設定される温度で、その温度は、必要に応じて適宜選択される。  又、ここでグラスバルブ１５に熱変色性インクを塗布することを説明したが、それに限らず、例えば、固定部材であるアーム７に塗布しても良い。
【図面の簡単な説明】
【００３３】
【図１】本発明の第１実施例を示す正面図である。
【図２】図１の他の状態を示す図で、グラスバルブがはじけた状態を示す図である。
【符号の説明】
【００３４】
１      本体
３      ねじ部
７      アーム
７ａ    液体の飛散付着部
９      支承部
１３    放水弁
【図１】
2006015067.tif 000003
【図２】
2006015067.tif 000004